(57)【要約】【課題】ストラップ等の保持具を首からぶら下げた場合や保持具を手に持ったときでも、携帯電話装置が容易に表向いたり裏向いたりせず、また、柱などの特定物に、安定的に固定することのできる携帯電話装置を提供する。【解決手段】携帯電話装置の筐体１の表面に非直線状に穴１１、１２、１３が設けられ、穴１１および穴１２には保持具であるストラップが装着されている。穴１１と穴１２に装着されたストラップは長さ調節部を備え、一体化されているので、首に掛けて筐体１がちょうど良い位置になるように調節することができる。穴１３にはクリップ付き紐を装着し、携帯電話装置が安定するようにクリップ付き紐のクリップをシャツに固定する。【選択図】  図１
2004195101.tif 000002
【特許請求の範囲】
【請求項１】
筐体の表面に、前記筐体を保持する保持具を取り付けるための取り付け手段を、非直線状に少なくとも３個設けたことを特徴とする携帯電話装置。
【請求項２】
前記取り付け手段は、前記保持具を連結するための穴であることを特徴とする請求項１記載の携帯電話装置。
【請求項３】
前記取り付け手段は、締結部材で構成した固定手段であることを特徴とする請求項１記載の携帯電話装置。
【請求項４】
前記取り付け手段は、着脱可能なスナップであることを特徴とする請求項１記載の携帯電話装置。
【請求項５】
携帯電話装置の筐体に設けられた取り付け手段に取り付けるための連結手段を有し、前記連結手段が少なくとも３個あり、一体化され、あるいは分離されてなることを特徴とする前記筐体を保持するための保持具。
【請求項６】
紐状物と帯状物とシート状物のうちの少なくとも一つで構成されていることを特徴とする請求項５記載の保持具。
【請求項７】
いずれかの方向に伸縮する伸縮手段を有することを特徴とする請求項５または請求項６記載の保持具。
【請求項８】
請求項５ないし請求項７のいずれかに記載の保持具と、カメラと、前記カメラに画像を取り込むタイミングを決定するシャッター手段と、取り込んだ前記画像を記憶する記憶手段とを備えたことを特徴とする請求項１ないし請求項４のいずれかに記載の携帯電話装置。
【請求項９】
前記シャッター手段の動作を、あらかじめ定めた時間毎に、あらかじめ定めた回数、繰り返しおこなうように設定する連写設定手段を備えたことを特徴とする請求項８記載の携帯電話装置。
【発明の詳細な説明】
【０００１】
【発明の属する技術分野】
本発明は、ストラップ等の保持具の取り付け手段を有する携帯電話装置及びその保持具に関する。
【０００２】
【従来の技術】
従来の携帯電話装置としては、ストラップ等の保持具の取り付け手段としては、筐体の上部にほぼＬ字型の貫通穴を一箇所、または、筐体の上下に二箇所あけて、ストラップ紐を取り付けるようにしたものが知られている（例えば特許文献１参照）。
【０００３】
【特許文献１】
特開２０００−３４１３８２号公報（第１−２頁、第２図）
【０００４】
【発明が解決しようとする課題】
しかし、このような従来の携帯電話装置では、ストラップを首からぶら下げて保持した場合やストラップを手に持った場合に、携帯電話装置は極めて不安定であった。また、携帯電話装置を柱などの特定物に、安定的に固定することは出来なかった。
【０００５】
特にカメラ付き携帯電話装置では、被写体を写すのに、三脚で固定することはできず、台の上に背もたれを置いて立てかけたり、柱にガムテープや両面テープで固定するなどしていた。
【０００６】
本発明は、このような従来の問題を解決するものであり、ストラップ等の保持具を首からぶら下げた場合や保持具を手に持ったときでも、携帯電話装置が容易に表向いたり裏向いたりせず、また、柱などの特定物に、安定的に固定することのできる携帯電話装置を提供するものである。
【０００７】
【課題を解決するための手段】
本発明の携帯電話装置は、筐体の表面に、筐体を保持する保持具を取り付けるための取り付け手段を、非直線上に少なくとも３個設けた構成を有している。この構成により、保持具を取り付けて携帯電話装置を安定して保持することができる。
【０００８】
また、本発明の携帯電話装置は、取り付け手段が、保持具を連結するための穴である構成を有している。この構成により、特別な道具を必要とせず、容易に保持具を携帯電話装置に装着できる。
【０００９】
また、本発明の携帯電話装置は、取り付け手段が、締結部材で構成した固定手段である構成を有している。この構成により、保持具を携帯電話装置に確実に装着することができる。
【００１０】
また、本発明の携帯電話装置は、取り付け手段が、着脱可能なスナップである構成を有している。この構成により、携帯電話装置に対し、保持具をすばやく着脱できる。
【００１１】
また、本発明の保持具は、携帯電話装置の筐体に設けられた取り付け手段に取り付けるための連結手段を有し、連結手段が少なくとも３個あり、一体化され、あるいは分離されてなる構成を有している。この構成により、携帯電話装置を安定して保持することができる。
【００１２】
また、本発明の保持具は、紐状物と帯状物とシート状物のうちの少なくとも一つで構成されている。この構成により、簡単な構造で保持具を実現することができ、手で保持したり物体に固定したりできる。
【００１３】
また、本発明の保持具は、いずれかの方向に伸縮する伸縮手段を有している。この構成により、固定する物体のサイズや形状などに対し、大きな自由度で安定して保持できる。
【００１４】
また、本発明の携帯電話装置は、保持具と、カメラと、カメラに画像を取り込むタイミングを決定するシャッター手段と、取り込んだ画像を記憶する記憶手段とを備えた構成を有している。この構成により、保持具によってカメラ付きの携帯電話装置を被写体に向け、安定的に保持して撮影することができる。
【００１５】
さらに、本発明の携帯電話装置は、シャッター手段の動作を、あらかじめ定めた時間毎に、あらかじめ定めた回数、繰り返しおこなうように設定する連写設定手段を備えた構成を有している。この構成により、保持具によってカメラ付きの携帯電話装置を被写体に向け、安定的に保持して連写することができる。
【００１６】
【発明の実施の形態】
以下、本発明の実施の形態について、図面を用いて説明する。
【００１７】
（第１の実施の形態）
図１は、本発明の第１の実施の形態における携帯電話装置の構成を示す外観図である。
【００１８】
図１に示すように、本発明の携帯電話装置は、その筐体１の表面に非直線状に配置された穴１１、１２、１３と、カメラ（図示せず）のレンズ５１が備えられている。次に、図１〜図２を用いて本発明の第１の実施の形態における携帯電話装置及びその保持具の機能を説明する。図２は、本発明の第１の実施の形態における携帯電話装置及びその保持具の関係を示す図である。
【００１９】
携帯電話装置の筐体１に設けられた穴１２には保持具であるストラップ７２１が装着されており、穴１１にはストラップ７２２が装着されている。ストラップ７２１とストラップ７２２は長さ調節部（図示せず）を備え、一体化されているので、首に掛けて筐体１がちょうど良い位置になるように調節することができる。穴１３にはクリップ付き紐７２３を装着し、携帯電話装置が安定するようにクリップ付き紐７２３のクリップをシャツに固定する。
【００２０】
このように、本実施の形態によれば、非直線状に設けた３つの穴に、携帯電話装置を保持する保持具としてストラップとクリップ付き紐を装着し、ストラップとクリップ付き紐で携帯電話装置を保持するので、安定して保持できる。
【００２１】
なお、保持具を取り付けるための穴を３個の場合で説明したが、本発明はこれに限定することなく、３個以上であれば同様の効果が得られるものである。また、保持具はストラップとストラップとは分離されたクリップ付き紐の場合で説明したが、本発明はこれに限定することなく、３本とも分離されていても、３本とも連結されていても同様の効果が得られるものである。
【００２２】
（第２の実施の形態）
図３は、本発明の第２の実施の形態における携帯電話装置の構成を示す外観図である。
【００２３】
図３に示すように、本発明の携帯電話装置は、その筐体１の表面に非直線状に配置された雌ねじ部２１、２２、２３と、カメラ（図示せず）のレンズ５１が備えられている。次に、図３〜図４を用いて本発明の第２の実施の形態における携帯電話装置及びその保持具の機能を説明する。図４は、本発明の第２の実施の形態における携帯電話装置及びその保持具の関係を示す図である。
【００２４】
携帯電話装置の筐体１に設けられた雌ねじ部２１に保持具である紐７４１を雄ねじ２４で固定し、雌ねじ部２２に紐７４２を雄ねじ２５で固定し、雌ねじ部２３に紐７４３を雄ねじ２６で固定する。紐７４１、７４２、７４３は連結され、連結部に手で持つためのグリップ６２を備えている。
【００２５】
このように、本実施の形態によれば、非直線状に設けた３つの雌ねじ部に、携帯電話装置を保持する保持具としてグリップ付きの３本の紐を雄ねじで固定するので、グリップを握れば携帯電話装置を安定して保持できる。
【００２６】
なお、保持具を取り付けるための雌ねじ部を３個の場合で説明したが、本発明はこれに限定することなく、３個以上であれば同様の効果が得られるものである。
【００２７】
（第３の実施の形態）
図５は、本発明の第３の実施の形態における携帯電話装置の構成を示す外観図である。
【００２８】
図５に示すように、本発明の携帯電話装置は、その筐体１の表面に非直線状に配置されたスナップ上部３１、３２、３３と、カメラ（図示せず）のレンズ５１が備えられている。次に、図５〜図６を用いて本発明の第３の実施の形態における携帯電話装置及びその保持具の機能を説明する。図６は、本発明の第３の実施の形態における携帯電話装置及びその保持具の関係を示す図である。
【００２９】
携帯電話装置の筐体１に設けられたスナップ下部３１に、保持具である紐７１１と連結されたスナップ上部３４を嵌合させて固定し、スナップ下部３２に、紐７１２と連結されたスナップ上部３５を嵌合させて固定し、スナップ下部３３に、紐７１３と連結されたスナップ上部３６を嵌合させて固定する。紐７１１、７１２、７１３は保持布６１と連結され、携帯電話装置の筐体１と保持布６１の間に手を差し込んで携帯電話装置を保持できるように、紐７１１、７１２、７１３の長さと保持布６１の寸法を決定する。
【００３０】
このように、本実施の形態によれば、非直線状に設けた３つのスナップ下部に、携帯電話装置を保持する保持具として保持布付きの３本の紐をスナップ上部を嵌合させて固定するので、筐体と保持布との間に手を差し込んで筐体を握れば携帯電話装置を安定して保持できる。
【００３１】
なお、保持具を取り付けるためのスナップを３個の場合で説明したが、本発明はこれに限定することなく、３個以上であれば同様の効果が得られるものである。
【００３２】
（第４の実施の形態）
図７は、本発明の第４の実施の形態における携帯電話装置の構成を示すブロック図である。
【００３３】
図７に示すように、本発明の携帯電話装置は、基地局（図示せず）と携帯電話の通信を行う電話通信部２と、画像を撮影するタイミングを決めるシャッターボタン５と、シャッターモードをノーマルか、セルフタイマーか、連写か、セルフタイマー連写かを設定するモード設定ボタン８と、シャッターボタン５が押されたらモード設定ボタン８の設定に従って画像を入力するために開くシャッター部４と、シャッター部４が開いてレンズ５１を介して取り込まれた画像を処理するカメラ部３と、カメラ部３で取り込んだ画像を記憶する記憶部６と、それらを制御する制御部７とを備えている。
【００３４】
次に、図７〜図８を用いて本発明の第４の実施の形態における携帯電話装置及びその保持具の機能を説明する。図８は、本発明の第４の実施の形態における携帯電話装置及びその保持具の関係を示す図である。
【００３５】
携帯電話装置の筐体１には３つの穴１１、１２、１３があり、伸縮自在の伸縮ベルト７３１、７３２、７３３がそれぞれ取り付けられている。モード設定ボタン８をセルフタイマーに設定する。撮影したい画像がうまく携帯電話装置のカメラ部３に取り込めるよう、筐体１の位置をうまく固定できる例えば木の枝に伸縮ベルト７３１、７３２、７３３で固定する。
【００３６】
シャッターボタン５を押すとタイマー（図示せず）が動作するので、その間にレンズ５１から画像が取り込める位置に移動し自らを撮影することができる。
【００３７】
このように、本実施の形態によれば、非直線状に設けた３つの穴に、携帯電話装置を保持する保持具として伸縮ベルトを装着し、カメラ部で画像撮影するのに適した物体に携帯電話装置を保持できるので、携帯電話装置で安定して画像の撮影を行うことができる。
【００３８】
なお、モード設定ボタン８をセルフタイマーに設定する場合で説明したが、本発明はこれに限定することなく、他のモードであっても同様の効果が得られるものである。また、保持具が伸縮ベルトの場合で説明したが、本発明はこれに限定することなく、紐状や帯状や鎖状やシート状の植物性製品や動物性製品や金属製品や化学樹脂製品であっても、またそれらの組み合わせであっても同様の効果が得られるものである。
【００３９】
【発明の効果】
以上説明したように、本発明によれば、保持具を取り付けて携帯電話装置を安定して保持することができるというすぐれた効果を有する携帯電話装置及びその保持具を提供することができる。
【図面の簡単な説明】
【図１】本発明の第１の実施の形態における携帯電話装置の構成を示す外観図
【図２】本発明の第１の実施の形態における携帯電話装置及びその保持具の関係を示す図
【図３】本発明の第２の実施の形態における携帯電話装置の構成を示す外観図
【図４】本発明の第２の実施の形態における携帯電話装置及びその保持具の関係を示す図
【図５】本発明の第３の実施の形態における携帯電話装置の構成を示す外観図
【図６】本発明の第３の実施の形態における携帯電話装置及びその保持具の関係を示す図
【図７】本発明の第４の実施の形態における携帯電話装置の構成を示すブロック図
【図８】本発明の第４の実施の形態における携帯電話装置及びその保持具の関係を示す図
【符号の説明】
１  筐体
２  電話通信部
３  カメラ部
４  シャッター部
５  シャッターボタン
６  記憶部
７  制御部
８  モード設定ボタン
１１、１２、１３  穴
２１、２２、２３  雌ねじ部
２４、２５、２６  雄ねじ
３１、３２、３３  スナップ下部
３４、３５、３６  スナップ上部
５１  レンズ
６１  保持布
６２  グリップ
７１１、７１２、７１３  紐
７２１、７２２  ストラップ
７２３  クリップ付き紐
７３１、７３２、７３３  伸縮ベルト
７４１、７４２、７４３  紐
【図１】
2004195101.tif 000003
【図２】
2004195101.tif 000004
【図３】
2004195101.tif 000005
【図４】
2004195101.tif 000006
【図５】
2004195101.tif 000007
【図６】
2004195101.tif 000008
【図７】
2004195101.tif 000009
【図８】
2004195101.tif 000010